(57)【特許請求の範囲】
【請求項１】
下階部と、その下階部の上方に設けられた上階部とを備え、
前記上階部には、複数の上階住戸が横並びに設けられているとともに、それら各上階住戸の並ぶ住戸並び方向に延びかつ前記各上階住戸に通じる上階廊下部が共用廊下部として設けられており、
前記各上階住戸のうち端に位置する上階住戸と前記住戸並び方向に隣接し、かつ前記下階部と前記上階部とに跨がって形成された階段室を備え、
前記階段室には、前記上階廊下部から前記下階部の共用廊下部へ通じる共用階段が設けられており、
前記各上階住戸の居住空間と前記上階廊下部と前記階段室とを上方から覆うように屋根部が設けられている集合住宅に適用され、
前記屋根部において前記各上階住戸の前記居住空間の上方にはそれぞれ前記各上階住戸の屋根裏空間である住戸屋根裏空間が設けられており、
前記屋根部において前記上階廊下部の上方には廊下屋根裏空間が設けられており、
前記屋根部において前記階段室の上方には階段屋根裏空間が設けられており、
隣り合う前記住戸屋根裏空間は屋根裏界壁により互いに仕切られており、
前記各住戸屋根裏空間を前記廊下屋根裏空間と仕切る第１耐火隔壁と、
前記端の上階住戸の前記住戸屋根裏空間と前記階段屋根裏空間とを仕切る第２耐火隔壁とを備え、
前記第１耐火隔壁は、第１隔壁フレームにより支持された第１耐火板を備え、
前記第２耐火隔壁は、第２隔壁フレームにより支持された第２耐火板を備え、
前記上階廊下部に沿って延び、その上階廊下部を屋外と仕切る外壁を備え、
前記第２隔壁フレームは、前記住戸並び方向と直交する方向に延びているとともに、前記上階廊下部の上方を跨いで前記外壁上に載置されて固定されており、
前記第１隔壁フレームは、前記住戸並び方向に延びて前記第２隔壁フレームと連結されており、
前記第１隔壁フレームの前記住戸屋根裏空間側には、前記第１耐火板としての住戸側第１耐火板が設けられており、
前記第２隔壁フレームの前記住戸屋根裏空間側には、前記第２耐火板としての住戸側第２耐火板が設けられており、
前記住戸側第１耐火板と前記住戸側第２耐火板とは互いの端部同士で連続することで平面視Ｌ字状をなして配置され、
前記第１隔壁フレームの前記廊下屋根裏空間側には、前記第１耐火板としての廊下側第１耐火板が設けられており、
前記第２隔壁フレームの前記階段屋根裏空間側には、前記第２耐火板としての階段側第２耐火板が設けられており、
前記廊下側第１耐火板と前記階段側第２耐火板とは前記第２隔壁フレームにより互いに隔てられており、
前記第２隔壁フレームの枠内には、前記廊下側第１耐火板と前記階段側第２耐火板とを繋ぐ繋ぎ耐火板が設けられており、
前記繋ぎ耐火板を介して前記廊下側第１耐火板と前記階段側第２耐火板とが互いに連続していることを特徴とする集合住宅の屋根裏構造。
【請求項２】
前記第２隔壁フレームは、上下に向き合って設けられた上枠材及び下枠材と、それら上枠材及び下枠材を上下に連結する複数の縦材とを備え、
前記繋ぎ耐火板は、前記上枠材と前記下枠材との間に配設され、それら各枠材に跨がって上下に延びる縦長形状を有しており、
前記各縦材のうちいずれかの縦材は前記繋ぎ耐火板と隣接して配置されており、
その縦材に対して前記繋ぎ耐火板が固定されていることを特徴とする請求項１に記載の集合住宅の屋根裏構造。
【請求項３】
前記第１隔壁フレームは、前記第２隔壁フレームの前記縦材に連結されており、
その縦材に対して前記繋ぎ耐火板が固定されていることを特徴とする請求項２に記載の集合住宅の屋根裏構造。
【請求項４】
前記上枠材と前記下枠材とはいずれも溝形鋼よりなり、互いの溝開口を向き合わせた状態で配置されており、
前記繋ぎ耐火板は、その上下の端部がそれぞれ前記上枠材及び前記下枠材の各溝内に挿し入れられた挿し入れ部となっており、それら各挿し入れ部の間が中間部となっており、
前記各挿し入れ部は、幅方向の両端部がそれぞれ前記溝の内側面に接触しており、
前記中間部は、その幅が前記各挿し入れ部よりも大きくなっており、幅方向の両端部がそれぞれ前記廊下側第１耐火板及び前記階段側第２耐火板に接触していることを特徴とする請求項２又は３に記載の集合住宅の屋根裏構造。
【発明の詳細な説明】
【技術分野】
【０００１】
本発明は、集合住宅の屋根裏構造に関する。
【背景技術】
【０００２】
アパート等の集合住宅では、複数の住戸が横並びに設けられているとともに、それら各住戸へ通じる共用廊下が設けられている。共用廊下は、各住戸の並ぶ方向に沿って延びており、各住戸へはその共用廊下を通って出入りするようになっている。
【０００３】
かかる集合住宅では、隣り合う住戸間に界壁が設けられている。界壁は、隣り合う住戸間の延焼を抑制すべく耐火性能を有して形成されている。界壁は、居住空間だけでなく屋根裏空間にも設けられている。つまり、界壁には、隣り合う住戸の居住空間同士を仕切る界壁と、隣り合う住戸の屋根裏空間同士を仕切る界壁（以下、屋根裏界壁という）とがある。
【先行技術文献】
【特許文献】
【０００４】
【特許文献１】特開２００４−６２２６９号公報
【発明の概要】
【発明が解決しようとする課題】
【０００５】
ところで、上述した集合住宅では、屋根裏空間が共用廊下上にも形成される。この場合、その共用廊下上の屋根裏空間（以下、廊下屋根裏空間という）を介して隣り合う住戸の屋根裏空間（以下、住戸屋根裏空間という）同士が連通される。そのため、廊下屋根裏空間を通じて隣り合う住戸屋根裏空間の間で延焼が生じるおそれがある。
【０００６】
そこで、このような延焼を抑制すべく、屋根裏界壁を廊下屋根裏空間まで延設し、廊下屋根裏空間を介した隣り合う住戸屋根裏空間の連通を遮断することが考えられる。その場合、上述した廊下屋根裏空間を通じた隣り合う住戸間の延焼を抑制することができる。
【０００７】
しかしながら、かかる構成としても、住戸屋根裏空間から廊下屋根裏空間に火が回ると、その火が軒先側から屋外を経由して屋根裏界壁を隔てた隣りの廊下屋根裏空間に回るおそれがある。その場合、やはり隣りの住戸屋根裏空間への延焼を招くおそれがある。また、廊下屋根裏空間に回った火がそこから下方に、すなわち共用廊下の方に回ることも考えられ、その場合共用廊下を通じた他の住戸への延焼を招くおそれがある。
【０００８】
本発明は、上記事情に鑑みてなされたものであり、住戸間の延焼をより確実に抑制することができる集合住宅の屋根裏構造を提供することを主たる目的とするものである。
【課題を解決するための手段】
【０００９】
上記課題を解決すべく、第１の発明の集合住宅の屋根裏構造は、横並びに設けられた複数の住戸と、前記各住戸の並ぶ方向に延びているとともに、それら各住戸に通じる共用廊下部とを備え、前記各住戸の居住空間と前記共用廊下部とを上方から覆うように屋根部が設けられている集合住宅に適用され、前記屋根部において前記各住戸の前記居住空間の上方にはそれぞれ前記各住戸の屋根裏空間である住戸屋根裏空間が設けられており、前記屋根部において前記共用廊下部の上方には廊下屋根裏空間が設けられており、隣り合う前記住戸屋根裏空間は屋根裏界壁により互いに仕切られており、前記各住戸屋根裏空間を前記廊下屋根裏空間と仕切る第１耐火隔壁を備えることを特徴とする。
【００１０】
本発明によれば、各住戸屋根裏空間を廊下屋根裏空間と仕切る第１耐火隔壁が設けられているため、住戸屋根裏空間から廊下屋根裏空間への延焼を抑制することができる。そのため、廊下屋根裏空間から屋外を通じて屋根裏界壁を隔てた隣りの廊下屋根裏空間ひいては隣りの住戸屋根裏空間へ火が回るのを抑制することができる。また、廊下屋根裏空間から共用廊下部への延焼も抑制することができるため、共用廊下部を通じた他の住戸への延焼も抑制することができる。これにより、住戸間の延焼をより確実に抑制することができる。
【００１１】
第２の発明の集合住宅の屋根裏構造は、第１の発明において、下階部と、その下階部の上方に設けられ前記屋根部の直下に位置する上階部とを備え、前記上階部には、前記住戸としての上階住戸が横並びに設けられているとともに、前記共用廊下部としての上階廊下部が前記各上階住戸の並ぶ住戸並び方向に延びており、前記各上階住戸のうち端に位置する上階住戸と前記住戸並び方向に隣接し、かつ前記下階部と前記上階部とに跨がって形成された階段室を備え、前記階段室には、前記上階廊下部から前記下階部の共用廊下部へ通じる共用階段が設けられている集合住宅に適用され、前記第１耐火隔壁は、前記各上階住戸の前記住戸屋根裏空間を前記上階廊下部上の前記廊下屋根裏空間と仕切るものであり、前記屋根部において前記階段室の上方には階段屋根裏空間が設けられており、前記端の上階住戸の前記住戸屋根裏空間と前記階段屋根裏空間とを仕切る第２耐火隔壁を備えることを特徴とする。
【００１２】
本発明によれば、住戸屋根裏空間を階段屋根裏空間と仕切る第２耐火隔壁がさらに設けられているため、住戸屋根裏空間から階段屋根裏空間への延焼についても抑制することができる。この場合、階段屋根裏空間からその下方の階段室への延焼を抑制することができるため、その階段室から共用廊下部を経由して各住戸へ延焼が拡がるのを抑制することができる。これにより、住戸間の延焼をより一層確実に抑制することができる。
【００１３】
特に、階段室は、上階部及び下階部の各共用廊下部にそれぞれ通じているため、階段室に延焼が拡がると、そこから上階側の住戸と下階側の住戸とにそれぞれ延焼が拡がり大規模な火災につながるおそれがある。そのため、この点を鑑みても、階段屋根裏空間への延焼を抑制することの意義は大きいといえる。
【００１４】
第３の発明の集合住宅の屋根裏構造は、第２の発明において、前記第１耐火隔壁は、第１隔壁フレームにより支持された第１耐火板を備え、前記第２耐火隔壁は、第２隔壁フレームにより支持された第２耐火板を備え、前記第１耐火板と前記第２耐火板とは、他の耐火板を介して又は介さずに、互いに連続して設けられていることを特徴とする。
【００１５】
本発明によれば、第１耐火隔壁が有する第１耐火板と、第２耐火隔壁が有する第２耐火板とが他の耐火板を介して又は介さずに連続して設けられている。この場合、これら各耐火板により第１耐火隔壁と第２耐火隔壁とに跨がる連続した耐火層を形成することができるため、隔壁の耐火性能を高めることができる。
【００１６】
第４の発明の集合住宅の屋根裏構造は、第３の発明において、前記上階廊下部に沿って延び、その上階廊下部を屋外と仕切る外壁を備え、前記第２隔壁フレームは、前記住戸並び方向と直交する方向に延びているとともに、前記上階廊下部の上方を跨いで前記外壁上に載置されて固定されており、前記第１隔壁フレームは、前記住戸並び方向に延びて前記第２隔壁フレームと連結されており、前記第１隔壁フレームの前記住戸屋根裏空間側には、前記第１耐火板としての住戸側第１耐火板が設けられており、前記第２隔壁フレームの前記住戸屋根裏空間側には、前記第２耐火板としての住戸側第２耐火板が設けられており、前記住戸側第１耐火板と前記住戸側第２耐火板とは互いの端部同士で連続することで平面視Ｌ字状をなして配置されていることを特徴とする。
【００１７】
本発明によれば、住戸並び方向と直交する方向に延びる第２隔壁フレームが上階廊下部を跨いで、その上階廊下部を屋外と仕切る外壁上に載置されて固定されている。住戸並び方向に上階住戸（詳しくは端の上階住戸）と隣接して階段室が設けられる上述の構成では、階段室に通じる上階廊下部が住戸並び方向に長くなることが考えられるが、上記のように第２隔壁フレームを上階廊下部を跨いで配設することで構造区画上望ましい構成とすることができる。
【００１８】
ここで、第２隔壁フレームを上述のように配設すると、第２隔壁フレームの一部が第１隔壁フレームよりも上階廊下部側（廊下屋根裏空間側）に延出して設けられることになる。そこで本発明では、この点に鑑みて、第１耐火板（住戸側第１耐火板）を第１隔壁フレームの住戸屋根裏空間側に設けるとともに、第２耐火板（住戸側第２耐火板）を第２隔壁フレームの住戸屋根裏空間側に設け、それら各耐火板を互いの端部同士で連続させてＬ字状をなして配置している。この場合、第２隔壁フレームの上記延出部を回避しながら第１耐火板と第２耐火板とを直に連続させることができるため、第２隔壁フレームに延出部が存在する構成にあって隔壁の耐火性能を好適に高めることができる。
【００１９】
第５の発明の集合住宅の屋根裏構造は、第４の発明において、前記第１隔壁フレームの前記廊下屋根裏空間側には、前記第１耐火板としての廊下側第１耐火板が設けられており、前記第２隔壁フレームの前記階段屋根裏空間側には、前記第２耐火板としての階段側第２耐火板が設けられており、前記廊下側第１耐火板と前記階段側第２耐火板とは前記第２隔壁フレームにより互いに隔てられており、前記第２隔壁フレームの枠内には、前記廊下側第１耐火板と前記階段側第２耐火板とを繋ぐ繋ぎ耐火板が前記他の耐火板として設けられており、前記繋ぎ耐火板を介して前記廊下側第１耐火板と前記階段側第２耐火板とが互いに連続していることを特徴とする。
【００２０】
本発明によれば、第１耐火板（廊下側第１耐火板）がさらに第１隔壁フレームの廊下屋根裏空間側に設けられ、第２耐火板（階段側第２耐火板）がさらに第２隔壁フレームの階段屋根裏空間側に設けられている。この場合、廊下側第１耐火板と階段側第２耐火板とは第２隔壁フレーム（詳しくはその延出部）により隔てられているが、第２隔壁フレームの枠内にはこれら各耐火板を繋ぐ繋ぎ耐火板が設けられているため、この繋ぎ耐火板を介して上記各耐火板を互いに連続させることができる。したがって、この場合、隔壁フレームを挟んだ両側にてそれぞれ第１耐火隔壁と第２耐火隔壁とに跨がる連続した耐火層を形成することができる。そのため、隔壁の耐火性能をより一層高めることができる。
【００２１】
第６の発明の集合住宅の屋根裏構造は、第５の発明において、記第２隔壁フレームは、上下に向き合って設けられた上枠材及び下枠材と、それら上枠材及び下枠材を上下に連結する複数の縦材とを備え、前記繋ぎ耐火板は、前記上枠材と前記下枠材との間に配設され、それら各枠材に跨がって上下に延びる縦長形状を有しており、前記各縦材のうちいずれかの縦材は前記繋ぎ耐火板と隣接して配置されており、その縦材に対して前記繋ぎ耐火板が固定されていることを特徴とする。
【００２２】
本発明によれば、繋ぎ耐火板が第２隔壁フレームを構成する縦材に固定されているため、第２隔壁フレームに繋ぎ耐火板を固定するための下地材を別途設ける場合と比べ、構成の簡素化を図ることができる。
【００２３】
また、繋ぎ耐火板は、上枠材と下枠材との間でそれら各枠材に跨がる縦長状をなしているため、その両端部のみを第２隔壁フレーム（上枠材及び下枠材）に固定するだけではその強度面において不安が残る。これに対して上記の構成では、かかる繋ぎ耐火板を上下に延びる縦材に固定しているため、繋ぎ耐火板を両端部だけでなく中間部においても固定することができる。そのため、縦長状の繋ぎ耐火板であっても安定した状態で固定することができる。
【００２４】
第７の発明の集合住宅の屋根裏構造は、第６の発明において、前記第１隔壁フレームは、前記第２隔壁フレームの前記縦材に連結されており、その縦材に対して前記繋ぎ耐火板が固定されていることを特徴とする。
【００２５】
本発明によれば、第１隔壁フレームが連結された第２隔壁フレームの縦材に繋ぎ耐火板が固定されている。この場合、第１隔壁フレームを連結するための縦材を利用して繋ぎ耐火板が固定されているため、縦材の有効利用を図ることができる。
【００２６】
第８の発明の集合住宅の屋根裏構造は、第６又は第７の発明において、前記上枠材と前記下枠材とはいずれも溝形鋼よりなり、互いの溝開口を向き合わせた状態で配置されており、前記繋ぎ耐火板は、その上下の端部がそれぞれ前記上枠材及び前記下枠材の各溝内に挿し入れられた挿し入れ部となっており、それら各挿し入れ部の間が中間部となっており、前記各挿し入れ部は、幅方向の両端部がそれぞれ前記溝の内側面に接触しており、前記中間部は、その幅が前記各挿し入れ部よりも大きくなっており、幅方向の両端部がそれぞれ前記廊下側第１耐火板及び前記階段側第２耐火板に接触していることを特徴とする。
【００２７】
本発明によれば、繋ぎ耐火板の上下の端部がそれぞれ耐火性を有する溝形鋼からなる上枠材及び下枠材の各溝内に挿し入れられて挿し入れ部となっており、それら各挿し入れ部の幅方向の両端部がそれぞれ溝の内側面に当接している。この場合、上枠材及び下枠材の設置高さにおいて挿し入れ部と上枠材（又は下枠材）とを介して廊下側第１耐火板と階段側第２耐火板とを連続させることができる。また、繋ぎ耐火板において各挿し入れ部の間の中間部では、その幅が挿し入れ部よりも大きくなっており、その幅方向の両端部がそれぞれ廊下側第１耐火板及び階段側第２耐火板に接触している。このため、上枠材と下枠材との間の高さ範囲においては中間部を介して廊下側第１耐火板と階段側第２耐火板とを連続させることができる。よって、この場合、下枠材から上枠材までの上下方向全域に亘って各耐火材を連続させることができるため、隔壁の耐火性能をさらに高めることができる。
【図面の簡単な説明】
【００２８】
【図１】集合住宅の外観を示しており、（ａ）が同外観を示す正面図、（ｂ）が背面図、（ｃ）が平面図、（ｄ）が側面図である。
【図２】二階部分の構成を示す概略横断面図。
【図３】屋根部の内部構成を示す概略横断面図。
【図４】集合住宅の内部構成を示す概略縦断面図であり、（ａ）が図１（ｃ）のＣ−Ｃ線断面図、（ｂ）が図１（ｃ）のＤ−Ｄ線断面図である。
【図５】屋根裏界壁及び各屋根裏隔壁の構成を示す横断面図。
【図６】界壁パネルを示す正面図。
【図７】隔壁パネルを示す正面図。
【図８】（ａ）が妻壁パネルを示す正面図であり、（ｂ）が背面図である。
【図９】繋ぎ板周辺の構成を示す斜視図。
【図１０】（ａ）が繋ぎ板の下端部が横材の溝内に入り込んだ状態を示す斜視図であり、（ｂ）が繋ぎ板の上下の端部が斜材及び横材の溝内に入り込んだ状態を示す縦断面図である。
【発明を実施するための形態】
【００２９】
以下に、本発明を具体化した一実施の形態について図面を参照しつつ説明する。本実施形態では、集合住宅として、複数の住戸を有する二階建てのアパートについて具体化している。なお、図１は集合住宅の外観を示しており、（ａ）が同外観を示す正面図、（ｂ）が背面図、（ｃ）が平面図、（ｄ）が側面図である。また、図２は、二階部分１２の構成を示す概略横断面図であり、図１（ａ）のＡ−Ａ線断面図に相当する。
【００３０】
図１（ａ）〜（ｄ）に示すように、集合住宅１０は、基礎Ｋ上に設けられた下階部としての一階部分１１と、一階部分１１の上方に設けられた上階部としての二階部分１２と、二階部分１２の上方に設けられた屋根部１３とを備える。
【００３１】
集合住宅１０は、大きく分けて、住宅本体部１５と、その住宅本体部１５に隣接して設けられた隣接部１６とを備える。一階部分１１、二階部分１２及び屋根部１３はそれぞれ住宅本体部１５と隣接部１６とに跨がって設けられている。住宅本体部１５と隣接部１６とはいずれも平面視において矩形形状をなしており、また平面視の大きさが住宅本体部１５よりも隣接部１６の方が小さくなっている。
【００３２】
図１及び図２に示すように、住宅本体部１５には、その一階部分１１に複数（具体的には３つ）の住戸２１（以下、一階住戸２１という）が横並びで設けられており、二階部分１２にも同様に複数（具体的には３つ）の住戸２２（以下、二階住戸２２という）が横並びで設けられている。各一階住戸２１と各二階住戸２２とはいずれも同じ方向に並んでおり、以下においてはこの方向を住戸並び方向Ｘともいう。なお、住戸並び方向Ｘは、住宅本体部１５と隣接部１６とが並ぶ方向と同じ方向となっている。
【００３３】
隣り合う二階住戸２２同士は界壁２３によって互いに仕切られている。この界壁２３により隣り合う二階住戸２２間における耐火性能が確保されている。また、図示は省略するが、隣り合う一階住戸２１の間にも同様の界壁が設けられており、その界壁が上記の界壁２３と上下に並ぶように配置されている。
【００３４】
住宅本体部１５には、各住戸２１，２２へ出入りする際に用いられる共用の廊下部が設けられている。かかる廊下部として、一階部分１１には各一階住戸２１へ通じる一階廊下部２５が設けられ、二階部分１２には各二階住戸２２へ通じる二階廊下部２６が設けられている。一階廊下部２５と二階廊下部２６とはいずれも住戸並び方向に延びるように設けられている。また、各廊下部２５，２６は上下に隣接して配置されている。なお、二階住戸２２が「住戸」に相当し、二階廊下部２６が「共用廊下部」に相当する。
【００３５】
各二階住戸２２と二階廊下部２６とは仕切壁２７によって仕切られている。この仕切壁２７には、各二階住戸２２ごとにそれぞれ二階廊下部２６から二階住戸２２へ出入りするための出入口２８が形成されている。出入口２８には、当該出入口２８を開閉する開閉扉２９が設けられている。また、一階部分１１においても、これと同様の仕切壁３１が設けられており、その仕切壁３１が上記の仕切壁２７と上下に並んで配置されている。そして、仕切壁３１には一階廊下部２５から一階住戸２１へ出入りするための出入口３２が形成され、その出入口３２には開閉扉３３が設けられている。
【００３６】
隣接部１６は、住宅本体部１５に対して住戸並び方向における一方側に隣接して設けられている。隣接部１６は、住戸並び方向Ｘと直交する方向（以下、住戸並び直交方向Ｙともいう）の長さが住宅本体部１５の略半分となっており、同方向Ｙにおいて各廊下部２５，２６と各住戸２１，２２とに跨がるように設けられている。隣接部１６には、一階廊下部２５と二階廊下部２６とがそれぞれ住宅本体部１５から延出している。この場合、これら各廊下部２５，２６は住宅本体部１５と隣接部１６とに跨がって延びている。
【００３７】
隣接部１６において一階住戸２１及び二階住戸２２と住戸並び方向Ｘに隣接する部分には階段室３５が設けられている。階段室３５は、一階部分１１と二階部分１２とに跨がる吹き抜け空間となっており、その階段室３５には一階廊下部２５と二階廊下部２６とを連絡する共用階段３６が設けられている。共用階段３６は廻り階段よりなる。この共用階段３６と一階廊下部２５と二階廊下部２６とがそれぞれ集合住宅１０の共用部となっている。
【００３８】
階段室３５は各住戸２１，２２と住戸並び方向Ｘに横並びで配置されている。階段室３５は一階住戸２１及び二階住戸２２と仕切壁３７により仕切られている。詳しくは、各一階住戸２１のうち端に位置して階段室３５と隣接する一階住戸２１（以下、２１Ａとする）と、各二階住戸２２のうち端に位置して階段室３５と隣接する二階住戸２２（以下、２２Ａとする）とが仕切壁３７により階段室３５と仕切られている。
【００３９】
隣接部１６の一階部分１１には共用出入口３８が形成されている。共用出入口３８は、集合住宅１０への出入口となっており、一階廊下部２５に通じている。共用出入口３８には、当該出入口３８を開閉する共用扉３９が設けられている。
【００４０】
集合住宅１０の外周部には外壁４１が設けられている。外壁４１は、各住戸２１，２２と各廊下部２５，２６と階段室３５とを囲むようにして設けられている。住戸並び直交方向Ｙにおいて各住戸２１，２２及び各廊下部２５，２６を挟んだ両側にはそれぞれ、外壁４１として一対の外壁４１ａ，４１ｂが設けられている。これらの外壁４１ｂ，４１ｂは、いずれも住戸並び方向Ｘに沿って延びている。これら各外壁４１ｂ，４１ｂのうち各廊下部２５，２６を屋外と仕切る外壁４１ａには複数の開口部４２が形成されている。これらの開口部４２により各廊下部２５，２６が屋外に開放されている。なお、外壁４１ａにおいて開口部４２の下方部分は各廊下部２５，２６の腰壁４３となっている。
【００４１】
また、一階住戸２１Ａ及び二階住戸２２Ａは外壁４１ｃにより屋外と仕切られている。この外壁４１ｃは住戸並び直交方向Ｙに延びており、同方向Ｙにおいて仕切壁３７と連続している。
【００４２】
屋根部１３は切り妻式の屋根として構成されている。屋根部１３は、住宅本体部１５に設けられた屋根部１３ａと、隣接部１６に設けられた屋根部１３ｂとを有する。これら各屋根部１３ａ，１３ｂはいずれも切り妻状の屋根となっており、互いに棟違いとなっている。これら各屋根部１３ａ，１３ｂの棟１８ａ，１８ｂはいずれも住戸並び方向Ｘに延びている。なお、図２では、屋根部１３の外縁を仮想線（二点鎖線）で示している（図３も同様）。
【００４３】
屋根部１３には、屋根裏空間が設けられている。以下、屋根部１３の屋根裏構造について図３及び図４に基づいて説明する。図３は、屋根部１３の内部構成を示す概略横断面図であり、図１（ａ）のＢ−Ｂ線断面図に相当する。図４は集合住宅１０の内部構成を示す概略縦断面図であり、（ａ）が図１（ｃ）のＣ−Ｃ線断面図、（ｂ）が図１（ｃ）のＤ−Ｄ線断面図である。
【００４４】
図３、図４（ａ）及び（ｂ）に示すように、各二階住戸２２はそれぞれ二階部分１２に設けられた居住空間４５と、屋根部１３に設けられた屋根裏空間４６とを有している。居住空間４５と屋根裏空間４６とは上下に隣接して配置されており、天井部４７により互いに仕切られている。なお、天井部４７は、居住空間４５の天井面を形成する天井面材を含んで構成されている。
【００４５】
界壁２３は、二階部分１２と屋根部１３とに跨がって上下に延びており、二階部分１２に設けられた居住界壁４８と、屋根部１３に設けられた屋根裏界壁４９とを有している。居住界壁４８により隣り合う二階住戸２２の居住空間４５同士が仕切られており、屋根裏界壁４９により隣り合う二階住戸２２の屋根裏空間４６同士が仕切られている。これらの界壁４８，４９により、隣り合う二階住戸２２の居住空間４５同士の間及び屋根裏空間４６同士の間の耐火性能が確保されている。なお、以下の説明では、二階住戸２２の屋根裏空間４６を住戸屋根裏空間４６という。
【００４６】
屋根部１３には、二階廊下部２６の上方に廊下屋根裏空間５１が設けられている。廊下屋根裏空間５１は、天井部５２によって二階廊下部２６と上下に仕切られている。廊下屋根裏空間５１は、二階廊下部２６（住戸並び方向Ｘ）に沿って延びており、各住戸屋根裏空間４６とそれぞれ隣接している。
【００４７】
廊下屋根裏空間５１と各住戸屋根裏空間４６との間には、耐火性能を有する屋根裏隔壁５３が設けられている。屋根裏隔壁５３は、廊下屋根裏空間５１と各住戸屋根裏空間４６との境界部（住戸並び方向Ｘ）に沿って延びており、当該境界部全域に亘って配設されている。この屋根裏隔壁５３により廊下屋根裏空間５１と各住戸屋根裏空間４６とが互いに仕切られている。屋根裏隔壁５３は、仕切壁２７の上方に配設され、その仕切壁２７と上下に並んで配置されている。また、屋根裏隔壁５３は、各屋根裏界壁４９に跨がって設けられており、それら各屋根裏界壁４９とそれぞれ連続している。なお、屋根裏隔壁５３が第１耐火隔壁に相当する。
【００４８】
屋根部１３（詳しくは屋根部１３ｂ）には、階段室３５の上方に階段屋根裏空間５４が設けられている。階段屋根裏空間５４は、天井部５５によって階段室３５と上下に仕切られている。階段屋根裏空間５４は、各住戸屋根裏空間４６と住戸並び方向Ｘに横並びで配置されており、端の二階住戸２２Ａの住戸屋根裏空間４６（以下、４６Ａとする）と同方向Ｘに隣接している。
【００４９】
住戸屋根裏空間４６Ａと階段屋根裏空間５４との間には耐火性能を有する屋根裏隔壁５６が設けられている。屋根裏隔壁５６は、住戸屋根裏空間４６Ａと階段屋根裏空間５４との境界部（住戸並び直交方向Ｙ）に沿って延びており、当該境界部全域に亘って配設されている。この屋根裏隔壁５６により住戸屋根裏空間４６Ａと階段屋根裏空間５４とが互いに仕切られている。屋根裏隔壁５６は仕切壁３７の上方に配設され、その仕切壁３７と上下に並んで配置されている。また、屋根裏隔壁５６は、屋根裏隔壁５３と連続して設けられており、平面視においてこれら各隔壁５３，５６はＬ字状をなして配置されている。なお、屋根裏隔壁５６が第２耐火隔壁に相当する。
【００５０】
住戸屋根裏空間４６Ａは、屋根部１３ａの妻壁５８により屋外と仕切られている。妻壁５８は、屋根部１３ａにおいて屋根部１３ｂにより覆われていない妻面部に設けられている。妻壁５８は、住戸並び直交方向Ｙに屋根裏隔壁５６と連続して設けられている。妻壁５８は、外壁４１ｃの上方に設けられ、外壁４１ｃと上下に並んで配置されている。また、屋根部１３ａには、各住戸屋根裏空間４６を挟んで妻壁５８とは反対側に妻壁５９が設けられている。
【００５１】
屋根部１３には、各屋根裏界壁４９上、各屋根裏隔壁５３，５６上及び各妻壁５８，５９上に跨がって屋根材５７が敷設されている。屋根材５７は、野地板と野地板上に葺設された屋根葺き材とを有している（共に図示略）。この屋根材５７により屋根裏空間４６，５１，５４と屋外とが仕切られている。
【００５２】
続いて、屋根裏界壁４９及び各屋根裏隔壁５３，５６の構成について図５乃至図８に基づいて詳しく説明する。図５は、屋根裏界壁４９及び各屋根裏隔壁５３，５６の構成を示す横断面図である。図６は屋根裏界壁４９を構成する界壁パネル６１を示す正面図である。図７は屋根裏隔壁５３を構成する隔壁パネル７１を示す正面図である。図８は屋根裏隔壁５６を構成する妻壁パネル８１を示しており、（ａ）が同パネル８１を示す正面図であり、（ｂ）が背面図である。
【００５３】
図５及び図６に示すように、屋根裏界壁４９は、界壁パネル６１により構成されている。界壁パネル６１は、二等辺三角形の一部が切除された形状を有しており、より詳しくは二等辺三角形の一端側が上下方向の断面により切除された形状を有している。界壁パネル６１は、界壁フレーム６２と、その界壁フレーム６２を挟んで両側にそれぞれ設けられた石膏ボード６３，６４とを備える。
【００５４】
界壁フレーム６２は、一対の斜材６６ａ，６６ｂ（ランナ）と、横材６７（ランナ）と、複数の縦材６８（スタッド）とを備える。一対の斜材６６ａ，６６ｂは互いに長さが相違しており、界壁フレーム６２の上端部からそれぞれ屋根（屋根材５７）の傾斜方向に沿って異なる方向に延びている。これら各斜材６６ａ，６６ｂのうち長い側の斜材６６ａの下端部には横材６７の一端部が連結されている。横材６７は、各斜材６６ａ，６６ｂの真下において横方向に延びており、その他端部が短い側の斜材６６ｂの下端部の真下に位置している。各斜材６６ａ，６６ｂ及び横材６７はいずれも溝形鋼よりなり、互いの溝開口を上下に向き合わせた状態で配置されている。
【００５５】
各縦材６８はそれぞれ、斜材６６ａ，６６ｂと横材６７との間に所定間隔で設けられており、それら斜材６６ａ，６６ｂ及び横材６７を上下に繋いでいる。各縦材６８はいずれもリップ溝形鋼（いわゆるＣ形鋼）よりなり、その溝開口を横材６７の長手方向に向けて配置されている。これら各縦材６８は、その上端部が斜材６６ａ，６６ｂの溝内に挿し入れられた状態で当該斜材６６ａ，６６ｂにビス等で固定され、その下端部が横材６７の溝内に挿し入れられた状態で当該横材６７にビス等で固定されている。
【００５６】
各縦材６８のうち一の縦材６８ａは、斜材６６ｂの下端部と横材６７の端部との間に配設され、これら斜材６６ｂ及び横材６７を上下に繋いでいる。縦材６８ａは、その溝開口をフレーム内側に向けて配置され、換言するとそのウェブをフレーム外側に向けて配置されている。本界壁フレーム６２では、この縦材６８ａと各斜材６６ａ，６６ｂと横材６７とにより外枠部が構成されている。また、界壁フレーム６２は、その横材６７が居住界壁４８の上方に載置された状態で設置されており、その設置状態で横材６７が居住界壁４８の上端部にビス等で固定されている。
【００５７】
界壁フレーム６２を挟んだ両側にはそれぞれ石膏ボード６３，６４が二枚重ねされて設けられている。これら各石膏ボード６３，６４は優れた耐火性能を有している。各石膏ボード６３，６４はいずれも、界壁フレーム６２と同じ大きさでかつ同じ形状を有して形成されており、その厚みがいずれも同じとなっている。各石膏ボード６３，６４は、界壁フレーム６２に対してビス等で固定されている。なお、石膏ボード６３，６４は、左右方向（横方向）に複数に分割されていてもよい。
【００５８】
次に、屋根裏隔壁５３について説明する。
【００５９】
図５及び図７に示すように、屋根裏隔壁５３は、隔壁パネル７１により構成されている。隔壁パネル７１は、横長の矩形形状を有している。隔壁パネル７１は、隔壁フレーム７２と、その隔壁フレーム７２を挟んだ両側にそれぞれ設けられた石膏ボード７３，７４とを備える。隔壁フレーム７２は、上下一対の横材７６，７７（ランナ）と、それら各横材７６，７７の間を上下に繋ぐ複数の縦材７８（スタッド）とを備える。なお、隔壁フレーム７２が第１隔壁フレームに相当する。
【００６０】
各横材７６，７７はいずれも溝形鋼よりなり、互いの溝開口を上下に向き合わせた状態で配置されている。また、縦材７８はリップ溝形鋼（いわゆるＣ形鋼）よりなる。各縦材７８はそれぞれ、その溝開口をランナ７６，７７の長手方向に向けた状態で所定の間隔で配置されている。詳しくは、各縦材７８のうち両端に位置する各縦材７８ａについては溝開口をフレーム内側に向けた状態で配置されている。これら各縦材７８はそれぞれ、その上端部が上側の横材７６の溝内に挿し入れられた状態で当該横材７６にビス等で固定され、その下端部が下側の横材７７の溝内に挿し入れられた状態で当該横材７７にビス等で固定されている。
【００６１】
隔壁フレーム７２は、仕切壁２７上において住戸並び方向Ｘに延びる向きで設置されている。隔壁フレーム７２は、その横材７７が仕切壁２７上に載置されており、その載置状態で横材７７が仕切壁２７の上端部にビス等で固定されている。かかる隔壁フレーム７２の設置状態において、各縦材７８のうち２つの縦材７８はそれぞれ隔壁フレーム７２の長手方向において各屋根裏界壁４９（界壁パネル６１）と同位置に配置されている。これら２つの縦材７８はそれぞれ各界壁パネル６１の界壁フレーム６２（詳しくはその縦材６８ａ）とビス等で連結されている。これにより、隔壁フレーム７２が各界壁フレーム６２とそれぞれ連結されており、ひいては隔壁パネル７１（屋根裏隔壁５３）が各界壁パネル６１（各屋根裏界壁４９）とそれぞれ連結されている。
【００６２】
隔壁フレーム７２の住戸屋根裏空間４６側には、石膏ボード７３が２枚重ねされて設けられている。石膏ボード７３は優れた耐火性能を有しており、その厚みが界壁パネル６１の石膏ボード６３，６４と同じ厚みとなっている。石膏ボード７３は各屋根裏界壁４９（界壁パネル６１）により分断されて設けられており、隣り合う屋根裏界壁４９及び妻壁５９の間、隣り合う屋根裏界壁４９の間及び、隣り合う屋根裏界壁４９及び屋根裏隔壁５６の間にそれぞれ配置されている。各石膏ボード７３はそれぞれ矩形板状をなしており、その上下寸法が隔壁フレーム７２の上下寸法と同じとされ、かつ、その幅寸法が隣り合う壁４９，５９（４９，４９）（４９，５６）同士の間隔と略同じ寸法とされている。各石膏ボード７３は隔壁フレーム７２に対してビス等で固定されている。なお、各石膏ボード７３がそれぞれ住戸側第１耐火板に相当する。また、各石膏ボード７３は、左右方向（横方向）に複数に分割されていてもよい。
【００６３】
各石膏ボード７３はそれぞれ屋根裏界壁４９側の端部において屋根裏界壁４９の石膏ボード６３，６４と当接している。具体的には、石膏ボード７３の当該端部と石膏ボード６３，６４の隔壁パネル７１側の端部とが互いに当接（連続）しており、それにより石膏ボード７３と石膏ボード６３，６４とが平面視Ｌ字状をなして配置されている。これにより、石膏ボード７３と石膏ボード６３（６４）とにより、屋根裏隔壁５３と屋根裏界壁４９とに跨がる連続した耐火層が形成されている。
【００６４】
ここで、石膏ボード７３と石膏ボード６３，６４とが互いの端部同士で当接する当接部分の構成についてより詳しく説明する。石膏ボード６３，６４において石膏ボード７３側の端部では、２枚重ねされた石膏ボード６３ａ，６３ｂ（６４ａ，６４ｂ）のうち内側の石膏ボード６３ａ（６４ａ）が外側の石膏ボード６３ｂ（６４ｂ）よりも石膏ボード６３，６４の厚み分だけ側方に突出している。その結果、当該端部では石膏ボード６３ａ（６４ａ）側に凸部６３ｃ（６４ｃ）（突出部）が設けられ、石膏ボード６３ｂ（６４ｂ）側に凹部６３ｄ（６４ｄ）が設けられている。また、石膏ボード７３において石膏ボード６３，６４側の端部では、２枚重ねされた石膏ボード７３ａ，７３ｂのうち内側の石膏ボード７３ａが外側の石膏ボード７３ｂよりも石膏ボード７３の厚み分だけ側方に突出している。その結果、当該端部では、石膏ボード７３ａ側に凸部７３ｃ（突出部）が設けられ、石膏ボード７３ｂ側に凹部７３ｄが設けられている。
【００６５】
石膏ボード７３（７３ａ，７３ｂ）は、その凸部７３ｃを石膏ボード６３（６４）の凹部６３ｄ（６４ｄ）に入り込ませた状態で石膏ボード６３（６４）に当接している。この場合、石膏ボード７３ａ（凸部７４ｃ）が石膏ボード６３ａ（６４ａ）に当接し、石膏ボード７３ｂが石膏ボード６３ｂ（６４ｂ）に当接している。かかる構成では、石膏ボード７３ａと石膏ボード６３，６４との継ぎ目及び、石膏ボード７３ｂと石膏ボード６３，６４との継ぎ目が石膏ボード７３の幅方向にずれているため、石膏ボード７３と石膏ボード６３，６４との境界部における耐火性能を高めることができる。なお、かかる構成に代えて、石膏ボード６３（６４）の凸部６３ｃ（６４ｃ）を石膏ボード７３の凹部７３ｄに入り込ませ、その状態で各石膏ボード６３（６４）、７３を当接させるようにしてもよい。
【００６６】
隔壁フレーム７２の廊下屋根裏空間５１側には、石膏ボード７４が２枚重ねされて設けられている。石膏ボード７４は優れた耐火性能を有しており、その厚みが石膏ボード７３の厚みと同じとなっている。石膏ボード７４は、隔壁フレーム７２と同じ大きさ（縦横寸法）を有する矩形板状をなしており、隔壁フレーム７２に対してビス等で固定されている。なお、石膏ボード７４が廊下側第１耐火板に相当する。また、石膏ボード７４は、左右方向（横方向）に複数に分割されていてもよい。
【００６７】
続いて、屋根裏隔壁５６について説明する。
【００６８】
図５、図８（ａ）及び（ｂ）に示すように、屋根裏隔壁５６は、妻壁パネル８１の一部により構成されている。妻壁パネル８１は、二等辺三角形状に形成されており、その斜辺の長さが界壁パネル６１の斜辺（詳しくは長い側の斜辺）と同じ長さとなっている。妻壁パネル８１は、妻壁フレーム８２と、その妻壁フレーム８２を挟んで両側にそれぞれ設けられた石膏ボード８３，８４と、妻壁フレーム８２の屋外側に設けられた妻壁下地材８５とを備える。
【００６９】
なお、図８（ａ）では妻壁パネル８１を住戸屋根裏空間４６Ａ側から見ており、（ｂ）では妻壁パネル８１をその反対側（屋外側及び階段屋根裏空間５４側）から見ている。また、図８（ｂ）では便宜上、図８（ａ）の妻壁パネル８１を上下に反転させた状態で示している。
【００７０】
妻壁フレーム８２は、フレーム上端部から屋根（屋根材５７）の傾斜方向に沿って互いに異なる方向に延びる一対の斜材８７（ランナ）と、それら各斜材８７の下端部同士を連結する横材８８（ランナ）と、斜材８７と横材８８との間に設けられそれら斜材８７及び横材８８を上下に繋ぐ複数の縦材８９（スタッド）とを備える。斜材８７及び横材８８はいずれも溝形鋼よりなり、互いの溝開口を上下に向き合わせた状態で配置されている。各縦材８９はいずれもリップ溝形鋼（いわゆるＣ形鋼）よりなり、その溝開口を横材８８の長手方向（妻壁パネル８１の幅方向）に向けて配置されている。これら各縦材８９は、その上端部が斜材８７の溝内に挿し入れられた状態で当該斜材８７にビス等で固定され、その下端部が横材８８の溝内に挿し入れられた状態で当該横材８８にビス等で固定されている。
【００７１】
なお、妻壁フレーム８２が第２隔壁フレームに相当し、斜材８７が上枠材に相当し、横材８８が下枠材に相当する。
【００７２】
各縦材８９のうち一部の複数（具体的には３つ）の縦材８９は互いに隣接して配置され縦材集合部９５を構成している。縦材集合部９５を構成する各縦材８９はそれぞれ隣接する縦材８９と当接して配置されている。
【００７３】
妻壁フレーム８２は、仕切壁３７上及び外壁４１ｃ上において住戸並び直交方向Ｙに延びる向きで設置されている。妻壁フレーム８２は、その横材８８が仕切壁３７上及び外壁４１ｃ上に跨がって載置されており、その載置状態で横材８８が仕切壁３７及び外壁４１ｃの上端部にビス等で固定されている。また、妻壁フレーム８２は、さらに横材８８がその両端部において各外壁４１ａ，４１ｂ上に載置されており、その載置状態で各外壁４１ａ，４１ｂの上端部にビス等で固定されている。
【００７４】
かかる妻壁フレーム８２の設置状態において、縦材集合部９５を構成する各縦材８９ａ〜８９ｃのうち廊下屋根裏空間５１寄りに位置する２つの縦材８９ａ，８９ｂは隔壁フレーム７２と住戸並び方向Ｘに横並びで配置されている。これら２つの縦材８９ａ，８９ｂは互いの溝部を向き合わせて（互いのウェブを反対側に向けて）配置され、それぞれが隔壁フレーム７２の縦材７８（７８ａ）にビス等で固定されている。これにより、妻壁フレーム８２が隔壁フレーム７２に連結されている。また、縦材８９ｃは、そのウェブを隣接する縦材８９ｂのウェブに向き合わせた状態で配置され、その配置状態で縦材８９ｂにビス等で固定されている。
【００７５】
妻壁フレーム８２において隔壁フレーム７２よりも廊下屋根裏空間５１側（外壁４１ａ側）に延出した部分はフレーム延出部９１となっている。このフレーム延出部９１は二階廊下部２６の上方を跨いで外壁４１ａ上に延びており、その外壁４１ａ上にてビス等で固定されている（図３参照）。
【００７６】
妻壁フレーム８２の住戸屋根裏空間４６Ａ側には、石膏ボード８３が２枚重ねされて設けられている。石膏ボード８３は優れた耐火性能を有しており、その厚みが隔壁パネル７１の石膏ボード７３，７４と同じ厚みとなっている。石膏ボード８３は、妻壁フレーム８２において隔壁フレーム７２よりも住戸屋根裏空間４６Ａ側に設けられている。石膏ボード８３は、妻壁フレーム８２の斜材８７と横材８８とに跨がる台形形状をなしており、その隔壁フレーム７２側の端面が上下（鉛直）方向に延びる鉛直面となっている。また、石膏ボード８３は、住戸屋根裏空間４１Ａと階段屋根裏空間５４との境界部全域に跨がる大きさを有しており、妻壁フレーム８２に対してビス等で固定されている。なお、石膏ボード８３が住戸側第２耐火板に相当する。
【００７７】
石膏ボード８３は、屋根裏隔壁５３側の端部において屋根裏隔壁５３の石膏ボード７３と当接している。具体的には、石膏ボード８３の当該端部と石膏ボード７３の屋根裏隔壁５６（妻壁パネル８１）側の端部とが互いに当接（連続）しており、それにより石膏ボード８３と石膏ボード７３とが平面視Ｌ字状をなして配置されている。これにより、石膏ボード８３と石膏ボード７３とにより、両屋根裏隔壁５３，５６に跨がる連続した耐火層が形成されている。
【００７８】
各石膏ボード７３，８３が互いの端部同士で当接する当接部分の構成についてより詳しく説明すると、石膏ボード７３において石膏ボード８３側の端部では、２枚重ねされた石膏ボード７３ａ，７３ｂのうち内側の石膏ボード７３ａが外側の石膏ボード７３ｂよりも石膏ボード７３の厚み分だけ側方に突出している。その結果、当該端部では石膏ボード７３ａ側に凸部７３ｃ（突出部）が設けられ、石膏ボード７３ｂ側に凹部７３ｄが設けられている。また、石膏ボード８３において石膏ボード７３側の端部では、２枚重ねされた石膏ボード８３ａ，８３ｂのうち内側の石膏ボード８３ａが外側の石膏ボード８３ｂよりも石膏ボード８３の厚み分だけ側方に突出している。その結果、当該端部では、石膏ボード８３ａ側に凸部８３ｃ（突出部）が設けられ、石膏ボード８３ｂ側に凹部８３ｄが設けられている。
【００７９】
石膏ボード７３は、その凸部７３ｃを石膏ボード８３の凹部８３ｄに入り込ませた状態で石膏ボード８３に当接している。この場合、石膏ボード７３ａ（凸部７４ｃ）が石膏ボード８３ａに当接し、石膏ボード７３ｂが石膏ボード８３ｂに当接している。かかる構成では、石膏ボード７３ａと石膏ボード８３との継ぎ目及び、石膏ボード７３ｂと石膏ボード８３との継ぎ目が石膏ボード７３の幅方向にずれているため、石膏ボード７３と石膏ボード８３との境界部における耐火性能を高めることができる。なお、かかる構成に代えて、石膏ボード８３の凸部８３ｃを石膏ボード７３の凹部７３ｄに入り込ませ、その状態で各石膏ボード７３，８３を当接させるようにしてもよい。
【００８０】
妻壁フレーム８２の階段屋根裏空間５４側には、石膏ボード８４と妻壁下地材８５とが隣接して設けられている。石膏ボード８４と妻壁下地材８５とは、妻壁フレーム８２においてフレーム延出部９１を除くフレーム領域全体に跨がるように配設されている。そして、石膏ボード８４と妻壁下地材８５とは、屋根部１３ｂの屋根面に沿った境界線９２で分断されており、その境界線９２よりもフレーム延出部９１側に石膏ボード８４が配設され、フレーム延出部９１側とは反対側に妻壁下地材８５が配設されている。
【００８１】
石膏ボード８４は、妻壁フレーム８２において２枚重ねされて設けられている。石膏ボード８４は優れた耐火性能を有しており、その厚みが石膏ボード８３の厚みと同じとなっている。石膏ボード８４は、住戸屋根裏空間４１Ａと階段屋根裏空間５４との境界部全域に跨がる大きさを有しており、妻壁フレーム８２に対してビス等で固定されている。なお、石膏ボード８４が階段側第２耐火板に相当する。
【００８２】
石膏ボード８４は、そのフレーム延出部９１（廊下屋根裏空間５１）側の端面が上下方向に延びる鉛直面となっており、その端面が隔壁パネル７１の石膏ボード７４（７４ｂ）の外側面と同一平面上に位置している。この場合、石膏ボード８４と石膏ボード７４とは妻壁フレーム８２のフレーム延出部９１によって互いに隔てられている。なお、各石膏ボード８３，８４と、妻壁フレーム８２において石膏ボード８３，８４を支持している部分とにより屋根裏隔壁５６が構成されている。
【００８３】
妻壁下地材８５は、構造用合板よりなる。妻壁下地材８５は、妻壁パネル８１において屋外側から屋根部１３ｂにより覆われていない領域に配設されている。妻壁下地材８５の屋外側面には、妻壁５８の妻面（屋外面）を形成する妻壁材（図示略）が取り付けられている。なお、妻壁５８は、妻壁材と、妻壁下地材８５と、妻壁フレーム８２において妻壁下地材８５を支持する部分とにより構成されている。
【００８４】
妻壁フレーム８２（詳しくはフレーム延出部９１）の枠内には、石膏ボード８４と石膏ボード７４とを繋ぐ繋ぎ板９３が設けられている。以下、この繋ぎ板９３に関する構成について図９及び図１０を用いながら説明する。図９は、繋ぎ板９３周辺の構成を示す斜視図である。図１０は、（ａ）が繋ぎ板９３の下端部が横材８８の溝内に入り込んだ状態を示す斜視図であり、（ｂ）が繋ぎ板９３の上下の端部が斜材８７及び横材８８の溝内に入り込んだ状態を示す縦断面図である。
【００８５】
図９、図１０（ａ）及び（ｂ）に示すように、繋ぎ板９３は縦長板状に形成された不燃材よりなり、例えばスラグセメントパーライト板よりなる。繋ぎ板９３は、その厚みが２枚の石膏ボード７４ａ，７４ｂの厚みと略同じとなっている。繋ぎ板９３は、妻壁フレーム８２における横材８８と斜材８７との間に配設されており、それら横材８８及び斜材８７に跨がって上下に延びている。また、繋ぎ板９３は、その板面を縦材８９ａのウェブの外側面に重ね合わせた状態で当該縦材８９ａに固定されている。この場合、繋ぎ板９３における両側の板面はそれぞれ２枚重ねの石膏ボード７４ａ，７４ｂの両板面（詳しくは、石膏ボード７４ａの内側面及び石膏ボード７４ｂの外側面）と面一とされている。なお、繋ぎ板９３が繋ぎ耐火板に相当する。
【００８６】
繋ぎ板９３は、その上端部が斜材８７の溝内に挿し入れられて挿し入れ部９３ａとなっており、その下端部が横材８８の溝内に挿し入れられて挿し入れ部９３ｂとなっている。挿し入れ部９３ａは、その幅Ｌ１が斜材８７の溝幅と同じとなっており、幅方向の両端部がそれぞれ溝の内側面に当接している。また、挿し入れ部９３ａの上端部は斜材８７の溝底面に当接している。挿し入れ部９３ｂは、その幅Ｌ２が横材８８の溝幅と同じとなっており、幅方向の両端部がそれぞれ溝の内側面に当接している。また、挿し入れ部９３ｂの下端部は横材８８の溝底面に当接している。なお、本実施形態では、斜材８７と横材８８とが同じ横断面を有しており、そのためＬ１とＬ２とが同じ寸法となっている。
【００８７】
ここで、斜材８７の各フランジにはそれぞれ石膏ボード７４の端面と石膏ボード８４（８４ａ）の内側面とが当接しており、また横材８８の各フランジにもそれぞれ石膏ボード７４の端面と石膏ボード８４（８４ａ）の内側面とが当接している。そのため、斜材８７の設置高さにおいては挿し入れ部９３ａと斜材８７の両フランジとを介して各石膏ボード７４，８４が連続しており、また横材８８の設置高さにおいては挿し入れ部９３ｂと横材８８の両フランジとを介して各石膏ボード７４，８４が連続している。
【００８８】
繋ぎ板９３において各挿し入れ部９３ａ，９３ｂの間は中間部９３ｃとなっている。中間部９３ｃは、その幅Ｌ３が各挿し入れ部９３ａ，９３ｂの幅Ｌ１，Ｌ２よりも大きくなっている。詳しくは、中間部９３ｃの幅Ｌ３は、斜材８７及び横材８８の幅と同じとなっている。中間部９３ｃは、その幅方向の両端部がそれぞれ各石膏ボード７３，８４に対して当接している。これにより、斜材８７と横材８８との間の高さ範囲においては、中間部９３ｃを介して各石膏ボード７４，８４が互いに連続している。
【００８９】
以上のように、各石膏ボード７４，８４は繋ぎ板９３（挿し入れ部９３ａ，９３ｂ，中間部９３ｃ）を介して互いに連続している。これにより、各石膏ボード７４，８４と繋ぎ板９３とにより、両屋根裏隔壁５３，５６に跨がる連続した耐火層が形成されている。
【００９０】
なお、繋ぎ板９３において各挿し入れ部９３ａ，９３ｂと中間部９３ｃとはそれぞれ別体からなり、それぞれ個別に縦材８９ａに対してビス等で固定されている。但し、各挿し入れ部９３ａ，９３ｂと中間部９３ｃとを一体形成することで繋ぎ板９３を構成してもよい。
【００９１】
以上、詳述した本実施形態の構成によれば、以下の優れた効果が得られる。
【００９２】
各住戸屋根裏空間４６を廊下屋根裏空間５１と仕切る屋根裏隔壁５３を設けたため、住戸屋根裏空間４６から廊下屋根裏空間５１への延焼を抑制することができる。そのため、廊下屋根裏空間５１から屋外を通じて屋根裏界壁４９を隔てた隣りの廊下屋根裏空間ひいては隣りの住戸屋根裏空間４６へ火が回るのを抑制することができる。また、廊下屋根裏空間５１から二階廊下部２６への延焼も抑制することができるため、二階廊下部２６を通じた他の二階住戸２２への延焼も抑制することができる。これにより、二階住戸２２間の延焼をより確実に抑制することができる。
【００９３】
住戸屋根裏空間４６を階段屋根裏空間５４と仕切る屋根裏隔壁５６をさらに設けたため、住戸屋根裏空間４６から階段屋根裏空間５４への延焼についても抑制することができる。この場合、階段屋根裏空間５４からその下方の階段室３５への延焼を抑制することができるため、その階段室３５から各廊下部２５，２６を経由して各住戸２１，２２へ延焼が拡がるのを抑制することができる。これにより、住戸間の延焼をより一層確実に抑制することができる。
【００９４】
特に、階段室３５は、一階部分１１及び二階部分１２の各廊下部２５，２６にそれぞれ通じているため、階段室３５に延焼が拡がると、そこから各一階住戸２１と各二階住戸２２とのそれぞれに延焼が拡がり大規模な火災につながるおそれがある。そのため、この点を鑑みても、階段屋根裏空間５４への延焼を抑制することの意義は大きい。
【００９５】
屋根裏隔壁５３の石膏ボード７３（７４）と屋根裏隔壁５６の石膏ボード８４（８３）とをそれぞれ連続させて設けた。この場合、これら各石膏ボード７３，８４（７４，８３）により各屋根裏隔壁５３，５６に跨がる連続した耐火層を形成することができるため、隔壁の耐火性能を高めることができる。
【００９６】
住戸並び直交方向Ｙに延びる妻壁フレーム８２の一部を隔壁フレーム７２よりも延出させてフレーム延出部９１とし、そのフレーム延出部９１を二階廊下部２６上を跨いで外壁４１ａ上に載置し当該外壁４１ａに対して固定した。この場合、階段室３５が各二階住戸２２と住戸並び方向Ｘに並んでいることから、階段室３５に通じる二階廊下部２６が同方向Ｘに長くなっている上述の構成にあって、構造区画上望ましい構成とすることができる。
【００９７】
また、このようなフレーム延出部９１が存在する構成にあって、隔壁フレーム７２の住戸屋根裏空間４６（４６Ａ）側に石膏ボード７３を取り付けるとともに、妻壁フレーム８２の住戸屋根裏空間４６（４６Ａ）側に石膏ボード８３を取り付けて、それら各石膏ボード７３，８３を互いの端部同士で当接させて平面視Ｌ字状に配置した。この場合、フレーム延出部９１を回避しながら各石膏ボード７３，８３を直に連続させることができるため、フレーム延出部９１が存在する構成にあって隔壁の耐火性能を好適に高めることができる。
【００９８】
隔壁フレーム７２の廊下屋根裏空間５１側にさらに石膏ボード７４を取り付けるとともに、妻壁フレーム８２の階段屋根裏空間５４側にさらに石膏ボード８４を取り付けた。この場合、これら各石膏ボード７４，８４は妻壁フレーム８２（フレーム延出部９１）により互いに隔てられている。そして、かかる構成にあって、妻壁フレーム８２の枠内に、これら各石膏ボード７４，８４を繋ぐ繋ぎ板９３を設け、その繋ぎ板９３を介して各石膏ボード７４，８４を連続させるようにした。この場合、隔壁フレーム７２，８２を挟んだ両側にてそれぞれ各屋根裏隔壁５３，５６に跨がる連続した耐火層を形成することができる。そのため、隔壁の耐火性能をより一層高めることができる。
【００９９】
繋ぎ板９３を、妻壁フレーム８２において斜材８７と横材８８とを上下に連結する縦材８９に対して固定したため、妻壁フレーム８２に繋ぎ板９３を固定するための下地材を別途設ける場合と比べて構成の簡素化を図ることができる。また、上下に延びる縦材８９に繋ぎ板９３を固定したことで、縦長状の繋ぎ板９３であっても安定した状態で固定することができる。
【０１００】
隔壁フレーム７２を妻壁フレーム８２の縦材８９ａに対して連結し、その縦材８９ａに対して繋ぎ板９３を固定した。この場合、隔壁フレーム７２を連結するための縦材８９ａを利用して繋ぎ板９３を固定しているため、縦材８９ａの有効利用を図ることができる。
【０１０１】
繋ぎ板９３の上下の端部をそれぞれ溝形鋼（不燃材）からなる斜材８７及び横材８８の溝内に挿し入れて挿し入れ部９３ａ，９３ｂとし、それら挿し入れ部９３ａ，９３ｂの幅方向の両端部をそれぞれ溝の内側面に当接させた。この場合、斜材８７の設置高さにおいては挿し入れ部９３ａと斜材８７（各フランジ）とを介して各石膏ボード７４，８４を連続させることができ、また横材８８の設置高さにおいては挿し入れ部９３ｂと横材８８（各フランジ）とを介して各石膏ボード７４，８４を連続させることができる。
【０１０２】
また、繋ぎ板９３において各挿し入れ部９３ａ，９３ｂの間の中間部９３ｃでは、その幅を挿し入れ部９３ａ，９３ｂよりも大きくし、その幅方向の両端部をそれぞれ各石膏ボード７４，８４に当接させた。この場合、斜材８７と横材８８との間の高さ範囲においては中間部９３ｃを介して各石膏ボード７４，８４を連続させることができる。よって、以上より、横材８８から斜材８７までの上下方向全域に亘って各石膏ボード７４，８４を連続させることができるため、隔壁の耐火性能をさらに高めることができる。
【０１０３】
本発明は上記実施形態に限らず、例えば次のように実施されてもよい。
【０１０４】
（１）上記実施形態では、屋根裏隔壁５３（隔壁パネル７１）において隔壁フレーム７２を挟んだ両側にそれぞれ石膏ボード７３，７４を設けたが、これら各石膏ボード７３，７４のうちいずれか一方だけを設けるようにしてもよい。また、屋根裏隔壁５６（妻壁パネル８１）において妻壁フレーム８２を挟んだ両側にそれぞれ石膏ボード８３，８４を設けたが、これら各石膏ボード８３，８４のうちいずれか一方だけを設けるようにしてもよい。例えば、各屋根裏隔壁５３，５６において隔壁フレーム７２及び妻壁フレーム８２の住戸屋根裏空間４６側にのみ石膏ボード７３，８３を設けることが考えられる。
【０１０５】
（２）上記実施形態では、繋ぎ板９３において中間部９３ｃの幅Ｌ３を挿し入れ部９３ａ，９３ｂの幅Ｌ１，Ｌ２よりも大きくしたが、中間部９３ｃの幅Ｌ３を挿し入れ部９３ａ，９３ｂの幅Ｌ１，Ｌ２と同じ幅としてもよい。この場合、繋ぎ板９３の構成を簡素化することができる。また、繋ぎ板９３に挿し入れ部９３ａ，９３ｂを設けないようにしてもよい。
【０１０６】
（３）上記実施形態では、繋ぎ板９３を妻壁フレーム８２の縦材８９ａに対して固定したが、これを変更してもよい。例えば、妻壁フレーム８２における斜材８７及び横材８８にそれぞれ固定金具を設け、それら各固定金具に対して繋ぎ板９３を固定することが考えられる。
【０１０７】
（４）上記実施形態では、妻壁フレーム８２の一部を隔壁フレーム７２よりも延出させてフレーム延出部９１としたが、妻壁フレーム８２がかかるフレーム延出部９１を有しない構成としてもよい。その場合、例えば妻壁フレーム８２を界壁フレーム６２と同様の構成とすることが可能となる。妻壁フレーム８２がフレーム延出部９１を有しない構成であれば、各屋根裏隔壁５３，５６の石膏ボード７４，８４がフレーム延出部９１により隔てられることがないため、これら各石膏ボード７４，８４を直に連続させることができる。そのため、繋ぎ板９３を不要とすることができる。
【０１０８】
（５）上記実施形態では、屋根裏界壁４９及び屋根裏隔壁５３，５６の耐火板として石膏ボードを用いたが、これに代えて、セメントボード等他の耐火板を用いてもよい。
【０１０９】
（６）上記実施形態では、屋根裏隔壁として、２つの屋根裏隔壁５３，５６を設けたが、屋根裏隔壁５６については設けないようにしてもよい。但し、階段屋根裏空間５４側への延焼を抑制する上では、屋根裏隔壁５６を設けるのが望ましい。
【０１１０】
（７）上記実施形態では、二階建ての集合住宅１０の屋根裏に本発明の屋根裏構造を適用したが、一階建て又は三階建て以上の集合住宅の屋根裏に本発明の屋根裏構造を適用してもよい。また、上記実施形態では、集合住宅１０としてアパートを想定し、そのアパートに本発明を適用したが、マンション等、アパート以外の集合住宅に本発明を適用してもよい。
【符号の説明】
【０１１１】
１０…集合住宅、１１…下階部としての一階部分、１２…上階部としての二階部分、１３…屋根部、２１…一階住戸、２２…住戸としての二階住戸、２５…一階廊下部、２６…共用廊下部としての二階廊下部、３５…階段室、３６…共用階段、４１ａ…外壁、４５…居住空間、４６…住戸屋根裏空間、４９…屋根裏界壁、５１…廊下屋根裏空間、５３…第１耐火隔壁としての屋根裏隔壁、５４…階段屋根裏空間、５６…第２耐火隔壁としての屋根裏隔壁、７２…第１隔壁フレームとしての隔壁フレーム、７３…第１耐火板及び廊下側第１耐火板としての石膏ボード、７４…第１耐火板及び住戸側第１耐火板としての石膏ボード、８２…第２隔壁フレームとしての妻壁フレーム、８３…第２耐火板及び住戸側第２耐火板としての石膏ボード、８４…第２耐火板及び階段側第２耐火板としての石膏ボード、８７…上枠材としての斜材、８８…下枠材としての横材、８９…縦材、９３…繋ぎ耐火板としての繋ぎ板、９３ａ，９３ｂ…挿し入れ部、９３ｃ…中間部。
【図１】
0006403535.tif 000002
【図２】
0006403535.tif 000003
【図３】
0006403535.tif 000004
【図４】
0006403535.tif 000005
【図５】
0006403535.tif 000006
【図６】
0006403535.tif 000007
【図７】
0006403535.tif 000008
【図８】
0006403535.tif 000009
【図９】
0006403535.tif 000010
【図１０】
0006403535.tif 000011